(57)【要約】【課題】発光部の発報状態の視認性と意匠性の向上を両立できる火災感知器を提供する。【解決手段】本発明に係る火災感知器１は、取付面に取り付けられて火災を感知する火災感知器１であって、発報状態となったときに発光する発光部１３と、発光部１３を覆う被覆部１７とを有し、被覆部１７は光１９が通過できる窓部１７ａを有し、発光部１３は、その光軸１８の向きが窓部１７ａを通過し、かつ筺体９の一部であって外部から視認できる部位を照射するように設定されていることを特徴とする火災感知器。【選択図】  図１
2017111618.tif 000002
【特許請求の範囲】
【請求項１】
取付面に取り付けられて火災を感知する火災感知器であって、
発報状態となったときに発光する発光部と、該発光部を覆う被覆部とを有し、
前記被覆部は光が通過できる窓部を有し、前記発光部は、その光軸の向きが前記窓部を通過し、かつ筺体の一部であって外部から視認できる部位を照射するように設定されていることを特徴とする火災感知器。
【請求項２】
前記発光部は、光軸が前記筺体に形成された開口部に向けて設定されており、前記開口部を介して前記筺体内部を照射するようにしたことを特徴とする請求項１記載の火災感知器。
【請求項３】
前記発光部は、発光素子、又は発光素子と該発光素子の光をガイドする光ガイドによって構成されていることを特徴とする請求項１又は２に記載の火災感知器。
【発明の詳細な説明】
【技術分野】
【０００１】
本発明は、天井面等に取り付けられる火災感知器に関し、特に発報状態となった動作状態を確認するために発光する発光部を有する火災感知器に関する。
【背景技術】
【０００２】
火災感知器には、発報状態となったときの動作状況を表示する確認灯が設けられている。この確認灯は、天井面等に複数設けられている火災感知器のうち発報している火災感知器を特定するため、あるいは加煙試験や加熱試験などの動作試験の際の動作確認のために用いられる。このような確認灯は、外部からの視認性に優れるものが求められる。
【０００３】
そこで、確認灯の視認性を向上させるものとして、例えば特許文献１には、光導通部材の一端側を発光素子に光学的に接続し、他端側を火災感知器の本体の外周側面に位置させ、前記光導通部材の他端側を確認灯として用いるようにしたものが開示されている。
【０００４】
また、特許文献２には、防虫網を照射するように表示灯を設けることで、視認性を向上させた光電式煙感知器が提案されている。
【先行技術文献】
【特許文献】
【０００５】
【特許文献１】特開平９−１２８６６６号公報
【特許文献２】特開２０１４−１９７２７５号公報
【発明の概要】
【発明が解決しようとする課題】
【０００６】
特許文献１に開示のものでは、発光素子の取付位置にかかわらず火災感知器における見易い位置に発光位置を設定できるが、発光部自体は、発光素子が発光するのと同様に点発光であり、十分な視認性を得られているとは言い難い。
これに対して、特許文献２に開示のものでは、表示灯自体の発光に加えて他の部位である防虫網を光らせているので、光る面積が広く視認性はより向上すると考えられる。
【０００７】
しかしながら、特許文献１，２のいずれのものも、確認灯が外部から見えることを前提としている。
そのため、確認灯のように常時は機能しない部品が外部から見える状態で設置されざるを得ず、そのことが見栄えを損ね、火災感知器の意匠性の向上を難しくしていた。
近年では室内に設置される火災感知器のような物品についても、意匠性が要求され、スタイリッシュな室内の雰囲気とマッチするものが望まれるようになっているが、確認灯は外部から見えるものであるという固定観念の下では、意匠性の向上にも限界があった。
【０００８】
本発明はかかる課題を解決するためになされたものであり、発光部の発報状態の視認性と意匠性の向上を両立できる火災感知器を提供することを目的としている。
【課題を解決するための手段】
【０００９】
発光部の発報状態の視認性と意匠性の向上を図るべく鋭意検討し、発光部の発報状態の視認性向上には発明者は確認灯自体が見える必要はないのではないかという新たな発想に至り、本発明を完成したものであり、具体的には以下の構成からなるものである。
【００１０】
（１）本発明に係る火災感知器は、取付面に取り付けられて火災を感知する火災感知器であって、発報状態となったときに発光する発光部と、該発光部を覆う被覆部とを有し、前記被覆部は光が通過できる窓部を有し、前記発光部は、その光軸の向きが前記窓部を通過し、かつ筺体の一部であって外部から視認できる部位を照射するように設定されていることを特徴とする火災感知器。
【００１１】
（２）また、上記（１）に記載のものにおいて、前記発光部は、光軸が前記筺体に形成された開口部に向けて設定されており、前記開口部を介して前記筺体内部を照射するようにしたことを特徴とするものである。
【００１２】
（３）また、上記（１）又は（２）に記載のものにおいて、前記発光部は、発光素子、又は発光素子と該発光素子の光をガイドする光ガイドによって構成されていることを特徴とするものである。
【発明の効果】
【００１３】
本発明に係る火災感知器は、取付面に取り付けられて火災を感知する火災感知器であって、発報状態となったときに発光する発光部と、該発光部を覆う被覆部とを有し、前記被覆部は光が通過できる窓部を有し、前記発光部は、その光軸の向きが前記窓部を通過し、かつ筺体の一部であって外部から視認できる部位を照射するように設定されていることにより、発光部の発報状態の視認性と意匠性の向上を両立することができる。
【図面の簡単な説明】
【００１４】
【図１】本発明の一実施の形態に係る火災感知器の斜視図である。
【図２】図１に示した火災感知器の側面図である。
【図３】図１に示した火災感知器の断面図である。
【図４】本発明の一実施の形態に係る火災感知器の動作説明図であり、発光部が発光した状態を下方から見た図である。
【発明を実施するための形態】
【００１５】
本実施の形態に係る火災感知器１について、図１〜３に基づいて説明する。なお、以下の説明における上端とは、図２〜３における上側を指し、以下の説明における下端とは、図１〜３における下側を指すものである。
本実施の形態に係る火災感知器１は、図１〜図３に示すように、室内の天井面等の取付面に取り付けられて火災を感知する火災感知器１であって、取付面に取り付けられるベース部３と、ベース部３に連結される本体部５を有し、本体部５に設けられた煙導入口７から導入される煙を検出して火災を検知するものである。
【００１６】
ベース部３は、円筒形からなり上端側が天井面等の取付面に取り付けられ、下端側に本体部５が連結される。
【００１７】
本体部５は、筺体９を有し、筺体９内には各種の電気部品が実装される回路基板１１、発報状態となったときに、例えば赤色に発光する発光部１３、煙を光学的に検出するための検煙部１５が設けられている（図３参照）。なお、発光部１３は赤色に限られず、筐体９や煙導入部９ｃ色と異なる色であればより好ましい。即ち、例えば筐体９が白色であれば、発光部１３は白色以外の色に設定する。
また、筺体９は、円筒部９ａと、円筒部９ａの下面側に形成された円環状の下面部９ｂと、下面部９ｂの中央に下方に突出するように設けられ、煙を導入するための煙導入部９ｃを有している。
【００１８】
筺体９の下面部９ｂの両側左右対称位置には、発光部１３を覆う被覆部１７が形成されている。被覆部１７は、内部に設置されている発光部１３が、火災感知器１の設置状態で少なくとも下方から見えないように覆うような形状になっている。
本実施形態の被覆部１７は、図１に示すように、外形が三角柱の形状をしているが、その形状は火災感知器１の形状等に合わせて適宜変更することができる。
被覆部１７における煙導入部９ｃに対向する面には、内部に設けた発光部１３の光１９を通過させるための窓部１７ａが設けられている。なお、本発明の窓部は単なる開口部であってもよいし、開口部に光を透過する部材が取り付けられたものであってもよい。
【００１９】
煙導入部９ｃには、開口部に相当する煙導入口７が設けられ、煙導入口７の内側には防虫網（図１における煙導入口７の内側の黒塗りの部分）が設置されている。なお、図２、図３では防虫網の図示を省略している。
煙導入口７からは、防虫網が見えるが、防虫網は筺体９の表面から一段奥まっており影になるので通常時は薄暗くなっている。
【００２０】
発光部１３の機能は、従来例の確認灯に相当するものであり、発報状態となったときに発光する。発光部１３は、図３に示すように、その光軸１８が窓部１７ａを通過し煙導入部９ｃに向くように設置されている。
発光部１３は、被覆部１７によって覆われており、外部に露出せず、下方から見上げたときに見えないようになっている。また、被覆部１７の窓部１７ａも煙導入部９ｃ側に向けて形成されているので、火災感知器１を下方から見上げた場合には見えにくくなっている。
これにより、火災感知器１は、図１に示すように、発光部１３が外部に露出せず外観がすっきりとして意匠的に優れたものになっている。また、被覆部１７と筐体９の色を同一にすることで、意匠的にさらに優れたものとなる。
なお、発光部１３を外部に露出させず、外部から見えないようにできるのは、発光部１３自体を外部から認識させるのではなく、発光部１３自体は被覆部１７で覆い、かつ火災感知器１に光１９を照射させるという発想によって成し得たものである。
【００２１】
上記のように構成された本実施の形態の火災感知器１によれば、図４に示すように、発光部１３が発光した状態では、光１９が煙導入部９ｃに照射され、当該部位が光るので視認性に優れる。煙導入部９ｃには煙導入口７が設けられ、煙導入口７の内側は通常は影になって薄暗い部位であり、発光部１３が光ったときには当該部位が照らされて明るくなるので、発光部１３が点灯していることを明確に認識しやすく、この意味でも視認性に優れる。
【００２２】
なお、上記の実施の形態においては、発光部１３を発光素子のみで構成した例を示したが、発光部１３を発光素子と発光素子の光をガイドする光ガイドによって構成してもよい。
発光部１３を発光素子と光ガイドで構成した場合には、光ガイドの一端側に発光素子を光学的に接続し、光ガイドの他端側を被覆部１７の窓部１７ａに臨ませるようにすればよい。
また、被覆部１７の内面に反射材を設け、基板に設けた発光素子の光を被覆部１７内面の反射材に反射させて、煙導入部９ａを照射する構成でも良い。
【００２３】
なお、上記の説明では火災感知器１の例として、煙を検出して火災を感知する煙感知器を例示したが、本発明はこれに限られるものではなく、サーミースタによって熱を検出して火災を感知する熱感知器や、炎の波長を検出して火災を感知する炎感知器等の火災感知器、及び燃焼生成物（ＣＯ，ＣＯ２等）や、ガス濃度を検出して火災を検知する火災感知器も含む。これらの火災感知器は天井面に多数取り付けられるものであるが、確認灯が筐体９を照らすことで、作動している火災感知器が一見して分かるという効果がある。
また、上記の説明では、ベース部５を天井面である取付面３から露出するタイプである露出ベースとして説明したが、天井面に埋め込まれるタイプの埋込ベースであっても良い。
【００２４】
また、上記の説明では、被覆部１７を下面部９ｂから突出する形状としたが、これに限定せず、被覆部１７の下面を下面部９ｂと同一平面上として、光軸１８にあわせて下面部９ｂに溝を設けてもよい。そうすることで被覆部１７を突出させない形状とすることができる。
また、上記の説明では、発光部１３の光軸１８が煙導入部９ｃに向くものとして説明したが、本発明はこれに限定されず、筐体９の一部であって、外部から視認できる部位のいずれかを照射していれば良い。例えば、光軸１８が円筒部９ａの下面を向くように発光部１３を設けても良い。
【符号の説明】
【００２５】
１  火災感知器
３  ベース部
５  本体部
７  煙導入口
９  筺体
９ａ  円筒部
９ｂ  下面部
９ｃ  煙導入部
１１  回路基板
１３  発光部
１５  検煙部
１７  被覆部
１７ａ  窓部
１８  光軸
１９  光
【図１】
2017111618.tif 000003
【図２】
2017111618.tif 000004
【図３】
2017111618.tif 000005
【図４】
2017111618.tif 000006